(57)【要約】【課題】簡単な構成によって現像剤の回収を行い、現像剤の混色を除去した現像剤を再利用し、好ましい現像剤の状態を維持して安定した画像形成を行えるようにする。【解決手段】複数の像担持体１０と、複数の像担持体上の形成された静電潜像を不揮発性溶剤をキャリアとするそれぞれ異なる色の液体現像剤を用いて現像する複数の現像装置３０と、複数の像担持体のそれぞれに対応する一次転写部で現像された現像剤像を順次転写して重ね合わせ担持し搬送する中間転写体４０と、中間転写体から重ね合わせた現像剤像を二次転写部４０で搬送路上のシート材に転写して出力する出力装置とを備え、像担持体クリーニング装置１７と中間転写体スクィーズ装置５５から現像剤を同一の現像剤回収部１８に回収する。【選択図】図１
2007171438.tif 000002
【特許請求の範囲】
【請求項１】
複数の像担持体と、前記複数の像担持体上の形成された静電潜像を不揮発性溶剤をキャリアとするそれぞれ異なる色の液体現像剤を用いて現像する複数の現像装置と、前記複数の像担持体のそれぞれに対応する一次転写部で前記現像された現像剤像を順次転写して重ね合わせ担持し搬送する中間転写体と、前記中間転写体から重ね合わせた現像剤像を二次転写部で搬送路上のシート材に転写して出力する出力装置とを備え、現像剤回収手段を複数の位置に配置して余剰現像剤を回収し画像形成を行うようにした画像形成装置において、前記現像剤回収手段として、前記像担持体の前記一次転写部より移動方向の下流側に配置された像担持体クリーニング装置と、前記中間転写体の前記一次転写部より移動方向の下流側に配置された中間転写体スクィーズ装置を備え、前記像担持体クリーニング装置と前記中間転写体スクィーズ装置から現像剤を同一の現像剤回収部に回収することを特徴とする画像形成装置。
【請求項２】
前記現像装置のそれぞれは、前記液体現像剤を収容する現像剤容器と、前記現像剤容器にトナーを高濃度に分散した現像剤を補給する現像剤カートリッジ及び前記現像剤容器にキャリアを補給するキャリアカートリッジを備え、前記同一の現像剤回収部に回収した現像剤を前記キャリアカートリッジに搬送することを特徴とする請求項１記載の画像形成装置。
【請求項３】
前記現像剤回収手段として、前記像担持体の前記一次転写部より移動方向の下流側に配置された像担持体スクィーズ装置を備え、前記像担持体スクィーズ装置のそれぞれに回収された現像剤を同一の流路に合流させ、フィルタを通してキャリアバッファタンクに搬送して貯蔵し、前記キャリアカートリッジとの間の現像剤搬送路を通して前記貯蔵したキャリアを前記キャリアカートリッジに分配搬送することを特徴とする請求項２記載の画像形成装置。
【請求項４】
前記現像剤回収手段として、前記像担持体の前記一次転写部より移動方向の下流側に配置された像担持体スクィーズ装置を備え、前記同一の現像剤回収部に回収された現像剤と前記中間転写体の前記像担持体スクィーズ装置より移動方向の下流側の前記像担持体スクィーズ装置に回収された現像剤を同一の流路に合流させ、フィルタを通してキャリアバッファタンクに搬送して貯蔵し、前記キャリアカートリッジとの間の現像剤搬送路を通して前記貯蔵したキャリアを前記キャリアカートリッジに分配搬送することを特徴とする請求項２記載の画像形成装置。
【請求項５】
キャリアバッファタンクに貯蔵した余剰キャリアを収容する着脱可能なキャリア収納タンクを設けたことを特徴とする請求項４記載の画像形成装置。
【請求項６】
前記キャリアカートリッジと前記キャリア収納タンクは、着脱互換性を有することを特徴とする請求項５記載の画像形成装置。
【発明の詳細な説明】
【技術分野】
【０００１】
本発明は、複数の像担持体と、不揮発性溶剤をキャリアとする液体現像剤を用い前記複数の像担持体上のそれぞれに形成された静電潜像を現像する複数の現像装置と、前記複数の像担持体のそれぞれに対応する一次転写部で前記現像されたトナー像を順次転写して重ね合わせ担持し搬送する中間転写体と、前記中間転写体から重ね合わせたトナー像を二次転写部で搬送路上のシート材に転写して画像を出力する出力装置とを備えた画像形成装置に関する。
【背景技術】
【０００２】
液体溶媒中に固体成分からなるトナーを分散させた高粘度の液体現像剤を用いて潜像を現像し、静電潜像を可視化する湿式画像形成装置が種々提案されている。この湿式画像形成装置に用いられる現像剤は、シリコンオイルや鉱物油、食用油等からなる電気絶縁性の有機溶剤（キャリア）中に固形分（トナー粒子）を懸濁させたものであり、このトナー粒子は、粒子径が１μｍ前後と極めて微細である。このような微細なトナー粒子を使用することにより、湿式画像形成装置では、粒子径が７μｍ程度の粉体トナー粒子を使用する乾式画像形成装置に比べて高画質化が可能である。
【０００３】
現像剤を構成するキャリアは、粒子径１μｍ前後のトナー粒子の飛散防止の他に、トナー粒子を帯電状態にさせ、さらに均一分散状態にする機能を有し、現像や転写工程では、トナー粒子が電界作用で容易に移動できるようにするための役割も担っている。このように、キャリアはトナー保存、トナー搬送、現像、転写工程で必要な成分であるが、非画像領域にも付着し、現像後の過剰なキャリアは転写乱れ等を引き起こす原因となる。そのため、通常、感光体上、中間転写体上の現像剤に対してキャリアを除去（スクイーズ）することが行われている（例えば、特許文献１参照）。また、湿式画像形成装置においては、中間転写ベルト、さらには二次転写ベルトを使用した場合、ベルト表面に付着した液体現像剤（キャリアと固形分）をクリーニングブレードにより除去することが行われ（例えば、特許文献２参照）、現像剤のリサイクルでは、複数の現像装置を感光体ドラムに対して選択的に対向配置し、当該現像装置の下流側に夫々の現像器に対応したスクイーズ装置を設けて現像器と同様に感光体ドラムに対して選択的に対向配置して、このスクイーズ装置により感光体ドラムに現像された余剰の現像剤をスクイーズし、スクイーズ装置に回収した余剰の現像剤を循環装置によって対応した現像器に循環搬送して再利用するシステムがある（例えば、特許文献３参照）。
【特許文献１】特開２００２−２９６９１８号公報
【特許文献２】特開２００２−１８９３５４号公報
【特許文献３】特開２００３−１０７９１３号公報
【発明の開示】
【発明が解決しようとする課題】
【０００４】
しかし、上記従来の現像剤のリサイクルシステムにおいては、単一の感光体ドラムに対して複数の現像装置及び当該現像装置に対応したスクイーズ装置を選択的に対向配置して潜像に現像剤を現像するカラー画像形成装置であり、感光体ドラムに対して１色目の潜像を形成して当該潜像に１色目の現像剤を現像して１色目の余剰現像剤をスクイーズし、この１色目の潜像に現像した顕像像は２色目の潜像作成行程へと進んで２色目の潜像を形成して当該潜像に２色目の現像剤を現像して２色目の余剰現像剤をスクイーズする。以下４色目までを同様な現像及びスクイーズを繰り返して感光体ドラム上に色重ねしたトナー像を形成し、この色重ねしたトナー象を一括して転写用紙に転写する所謂感光体ドラム上色重ね方式のカラー画像形成装置である。ここで、それぞれの現像器に対応したスクイーズ装置を設けて感光体ドラムに対して選択対向させてスクイーズ装置でスクイーズした余剰現像剤の混色に配慮はしている。
【０００５】
しかし、感光体ドラム上に色重ねした顕像像には不要なカブリトナーも含まれているので、これをスクイーズすると当該カブリトナーはもちろんのこと潜像に現像した顕像像からも一部のトナーはスクイーズ装置に回収されて混色を防止することはできない。従って、このスクイーズ装置で回収した余剰現像剤を対応した現像装置に搬送して再利用すると、現像装置の中で徐々に混色が進行するので、好ましい現像剤の状態を維持することが不可能である。
【課題を解決するための手段】
【０００６】
そこで本発明は、簡単な構成によって現像剤の回収を行い、現像剤の混色を除去した現像剤を現像装置に搬送して再利用し、好ましい現像剤の状態を維持して安定した画像形成を行えるようにするものである。
【０００７】
そのために本発明は、複数の像担持体と、前記複数の像担持体上の形成された静電潜像を不揮発性溶剤をキャリアとするそれぞれ異なる色の液体現像剤を用いて現像する複数の現像装置と、前記複数の像担持体のそれぞれに対応する一次転写部で前記現像された現像剤像を順次転写して重ね合わせ担持し搬送する中間転写体と、前記中間転写体から重ね合わせた現像剤像を二次転写部で搬送路上のシート材に転写して出力する出力装置とを備え、現像剤回収手段を複数の位置に配置して余剰現像剤を回収し画像形成を行うようにした画像形成装置において、前記現像剤回収手段として、前記像担持体の前記一次転写部より移動方向の下流側に配置された像担持体クリーニング装置と、前記中間転写体の前記一次転写部より移動方向の下流側に配置された中間転写体スクィーズ装置を備え、前記像担持体クリーニング装置と前記中間転写体スクィーズ装置から現像剤を同一の現像剤回収部に回収することを特徴とする。
【０００８】
前記現像装置のそれぞれは、前記液体現像剤を収容する現像剤容器と、前記現像剤容器にトナーを高濃度に分散した現像剤を補給する現像剤カートリッジ及び前記現像剤容器にキャリアを補給するキャリアカートリッジを備え、前記同一の現像剤回収部に回収した現像剤を前記キャリアカートリッジに搬送することを特徴とし、前記現像剤回収手段として、前記像担持体の前記一次転写部より移動方向の下流側に配置された像担持体スクィーズ装置を備え、前記像担持体スクィーズ装置のそれぞれに回収された現像剤を同一の流路に合流させ、フィルタを通してキャリアバッファタンクに搬送して貯蔵し、前記キャリアカートリッジとの間の現像剤搬送路を通して前記貯蔵したキャリアを前記キャリアカートリッジに分配搬送することを特徴とし、前記現像剤回収手段として、前記像担持体の前記一次転写部より移動方向の下流側に配置された像担持体スクィーズ装置を備え、前記同一の現像剤回収部に回収された現像剤と前記中間転写体の前記像担持体スクィーズ装置より移動方向の下流側の前記像担持体スクィーズ装置に回収された現像剤を同一の流路に合流させ、フィルタを通してキャリアバッファタンクに搬送して貯蔵し、前記キャリアカートリッジとの間の現像剤搬送路を通して前記貯蔵したキャリアを前記キャリアカートリッジに分配搬送することを特徴とし、キャリアバッファタンクに貯蔵した余剰キャリアを収容する着脱可能なキャリア収納タンクを設け、前記キャリアカートリッジと前記キャリア収納タンクは、着脱互換性を有することを特徴とする。
【発明の効果】
【０００９】
本発明によれば、像担持体や、中間転写体、転写部の各部から簡単な構成によって現像剤を回収し、さらに、回収した現像剤をまとめて搬送してフィルタでキャリアを分離して貯蔵し、これを現像装置に分配搬送することで、キャリア再利用率を平均化し安定した再利用が可能になる。例え現像剤が混色状態のものや紙粉を含むものであってもこれらをまとめてポンプで搬送してフィルタで除去することで、簡単な構成によって現像剤の回収を行うとともに現像剤の混色を除去した現像剤を現像装置に搬送して再利用することができ、好ましい現像剤の状態を維持して安定した画像形成を行うようにすることができる。
【発明を実施するための最良の形態】
【００１０】
以下、本発明の実施の形態を図面を参照しつつ説明する。図１は本発明の実施の形態に係る画像形成装置を構成する主要構成要素を示す図、図２は画像形成部、現像ユニット及び中間転写体スクイーズ装置の主要構成要素を示す断面図である。画像形成部、現像ユニット及び中間転写体スクイーズ装置は、図１において、イエロー（Ｙ）、マゼンタ（Ｍ）、シアン（Ｃ）、ブラック（Ｋ）からなる各色に対し同じ構成を有し、同じ構成要素については、各色を表すＹ、Ｍ、Ｃ、Ｋをそれぞれに付して同一番号を用いている。そのうち、イエロー（Ｙ）の画像形成部、現像ユニット及び中間転写体スクイーズ装置の構成を示したのが図２である。以下、各画像形成部、現像ユニット及び中間転写体スクイーズ装置については図２を参照して説明する。
【００１１】
画像形成部は、像担持体１０Ｙの外周の回転方向に沿って、潜像イレーサ１６Ｙ、像担持体のクリーニングブレード１７Ｙ及び現像剤回収部１８Ｙからなるクリーニング装置、帯電ローラ１１Ｙ、露光ユニット１２Ｙ、現像ユニット３０Ｙの現像ローラ２０Ｙ、像担持体スクイーズローラ１３Ｙとその付属構成であるクリーニングブレード１４Ｙ、現像剤回収部１５Ｙからなるクリーニング装置が配置されている。現像ユニット３０Ｙは、現像ローラ２０Ｙの外周に、クリーニングブレード２１Ｙ、アニロックスローラを用いた現像剤供給ローラ３２Ｙとその供給現像剤の膜厚を規制する規制ブレード３３Ｙ、現像剤圧縮ローラ２２Ｙとその表面の現像剤を書き落とし除去するクリーニングブレード２３Ｙが配置され、液体現像剤が収容された現像剤容器（リザーバ）３１Ｙの中に、現像剤を一様分散状態に攪拌する現像剤攪拌ローラ３４Ｙが配置されている。また、中間転写体４０を挟み像担持体１０Ｙと対向する位置に一次転写部５０Ｙの一次転写ローラ５１Ｙが配置され、中間転写体４０に沿ってその移動方向下流側に中間転写体スクイーズ装置５２Ｙが、さらに各色の一次転写部５０（Ｍ、Ｃ、Ｋ）、中間転写体スクイーズ装置５２（Ｍ、Ｃ、Ｋ）が配置されている。中間転写体スクイーズ装置５２Ｙは、中間転写体スクイーズローラ５３Ｙ、バックアップローラ５４Ｙ、中間転写体スクイーズローラのクリーニングブレード５５Ｙ、現像剤回収部１８Ｙにより構成されている。
【００１２】
現像剤容器３１Ｙに収容される液体現像剤は、従来一般的に使用されている、Ｉｓｏｐａｒ（商標：エクソン）をキャリアとした低濃度（１〜２ｗｔ％程度）かつ低粘度の、常温で揮発性を有する揮発性液体現像剤ではなく、高濃度かつ高粘度の、常温で不揮発性を有する不揮発性溶剤をキャリアとする液体現像剤である。すなわち、本実施形態における液体現像剤は、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約２５％とした高粘度（３０〜１００００ｍＰａ・ｓ程度）の液体現像剤である。像担持体への現像にともなって変化する現像剤濃度に応じ、現像剤カートリッジ７２Ｙからトナー重量比３５〜５５％程度の高濃度に分散した現像剤を、キャリアカートリッジ７１Ｙからキャリアをそれぞれ現像剤容器３１Ｙに補給して液体現像剤攪拌ローラ３４Ｙにより攪拌することにより一様分散状態にし、概略重量比でキャリア７５％の中にトナー２５％を分散させたものである。
【００１３】
画像形成部及び現像ユニット３０Ｙでは、帯電ローラ１１Ｙにより、像担持体１０Ｙを一様に帯電させ、半導体レーザ、ポリゴンミラー、Ｆ−θレンズ等の光学系を有する露光ユニット１２Ｙにより、入力された画像信号に基づいて、変調されたレーザ光を照射して、帯電された像担持体１０Ｙ上に静電潜像を形成する。そして、各色（こではイエロー）の液体現像剤を貯蔵する現像剤容器３１Ｙから規制ブレード３３Ｙにより供給現像剤量を規制して現像剤供給ローラ３２Ｙから現像ローラ２０Ｙに現像剤を供給して像担持体１０Ｙ上に形成された静電潜像を現像している。
【００１４】
中間転写体４０は、エンドレスの弾性ベルト部材であり、駆動ローラ４１とテンションローラ４２との間に巻き掛けて張架され、一次転写部５０Ｙ、５０Ｍ、５０Ｃ、５０Ｋで像担持体１０Ｙ、１０Ｍ、１０Ｃ、１０Ｋと当接しながら駆動ローラ４１により回転駆動される。一次転写部５０Ｙ、５０Ｍ、５０Ｃ、５０Ｋは、一次転写ローラ５１Ｙ、５１Ｍ、５１Ｃ、５１Ｋが中間転写体４０を挟んで像担持体１０Ｙ、１０Ｍ、１０Ｃ、１０Ｋと対向配置され、像担持体１０Ｙ、１０Ｍ、１０Ｃ、１０Ｋとの当接位置を転写位置として、現像された像担持体１０Ｙ、１０Ｍ、１０Ｃ、１０Ｋ上の各色のトナー像を中間転写体４０上に順次重ねて転写し、フルカラーのトナー像を形成している。中間転写体４０には、このように複数の像担持体（感光体）１０Ｙ、１０Ｍ、１０Ｃ、１０Ｋに形成したトナー像を順次一次転写して重ね合わせて担持し、一括してシート材に二次転写する。そのため、二次転写行程においてシート材にトナー像を転写するに当たって、シート材表面が繊維質などによって平滑でないシート材であっても、この非平滑なシート材表面に倣って二次転写特性を向上させる手段として、弾性ベルト部材を採用している。
【００１５】
二次転写ユニット６０は、二次転写ローラ６１が中間転写体４０を挟んでベルト駆動ローラ４１と対向配置され、さらに二次転写ローラのクリーニングブレード６２、現像剤回収部６３からなるクリーニング装置が配置される。二次転写ユニット６０では、中間転写体４０上に色重ねして形成されたフルカラーのトナー画像や単色のトナー画像が二次転写ユニット６０の転写位置に到達するタイミングに合せてシート材搬送経路Ｌにて用紙、フィルム、布等のシート材を搬送、供給し、そのシート材に単色のトナー画像やフルカラーのトナー画像を二次転写する。シート材搬送経路Ｌの前方には、不図示の定着ユニットが配置され、シート材上に転写された単色のトナー像やフルカラーのトナー像を用紙等の記録媒体（シート材）に融着させ定着させ、最終的なシート材上の画像形成を終了する。二次転写ローラ６１は、表面が繊維質などによって平滑でないシート材であっても、この非平滑なシート材表面に倣って二次転写特性を向上させる手段として、表面に弾性体を被覆した弾性ローラで構成している。これは、複数の像担持体１０Ｙに形成したトナー像を順次一次転写して中間転写体４０に重ね合わせて担持し、一括してシート材に二次転写する中間転写体４０に採用した弾性ベルト部材と同様の目的である。
【００１６】
ベルト駆動ローラ４１と共に中間転写体４０を張架するテンションローラ４２側には、その外周に沿って、中間転写体４０に当接するように現像剤圧縮ローラ４３が対向配置され、その現像剤圧縮ローラ４３より中間転写体４０の移動方向下流側に、クリーニングブレード４６、現像剤回収部４７からなるクリーニング装置が配置されている。そして、この現像剤圧縮ローラ４３の外周にもクリーニングブレード４４、現像剤回収部４５からなるクリーニング装置が対向配置され、現像剤圧縮ローラ４３に対し、中間転写体４０上の残留トナーを中間転写体４０に押し付ける方向のバイアスが印加される。二次転写ユニット６０を通過後の中間転写体４０は、テンションローラ４２の巻きかけ部へと進み、現像剤圧縮ローラ４３により現像剤が圧縮された後、クリーニングブレード４６により中間転写体４０上のクリーニングが行われ、再び、一次転写部５０へと向かう。
【００１７】
現像剤容器３１Ｙにおいて、液体現像剤の中のトナー粒子はプラスの電荷を有し、現像剤は、撹拌ローラ３４Ｙにより撹拌されて一様分散状態になり、現像剤供給ローラ３２Ｙが回転することによって、現像剤容器３１Ｙから汲み上げられ、規制ブレード３３Ｙによって現像剤量が規制されて現像ローラ２０Ｙに供給される。初期的には現像剤容器３１Ｙ内に貯蔵した現像剤はキャリア内に概略トナー重量比２５％程度に一様分散した状態であるが、像担持体１０Ｙへの現像において画像デューティーが高い現像の場合にはトナー分の消費比率が多く、逆に画像デューティーが低い現像の場合にはトナー分の消費比率が少なくなる。即ち、現像剤容器３１Ｙ内に貯蔵された現像剤のトナー重量比率は像担持体１０Ｙへの現像にともなって刻々と変化し、常時この変化を監視して概略トナー重量比２５％程度に分散した状態に維持コントロールしていく必要がある。
【００１８】
現像剤容器３１Ｙにおける現像剤を濃度コントロールするため、濃度を検知する手段として、図示省略したトナーの分散重量比率を検知する透過型のフォトセンサあるいは現像剤攪拌ローラ３４Ｙの攪拌トルクを検知するトルク検知手段等及び現像剤容器３１Ｙ内の現像剤液面を検知する反射型のフォトセンサ等々が夫々の現像ユニット３０Ｙに設けられる。そして、所定の現像剤量においてトナーの分散重量比率が少なくなった場合にはトナー重量比３５〜５５％程度の高濃度に分散した現像剤を現像剤カートリッジ７２Ｙから現像剤容器３１Ｙに所定量補充する。逆にトナーの分散重量比率が高くなった場合にはキャリアカートリッジ７１Ｙからキャリアを現像剤容器３１Ｙに所定量補充する。これらの補充により概略トナー重量比２５％程度にコントロールしている。また、画像信号を管理するコントローラ（ＣＰＵ）において、出力する画像濃度に応じて現像ユニット３０Ｙ内の現像剤濃度を予測して現像剤カートリッジ７２Ｙ及びキャリアカートリッジ７１Ｙからの補充量を予測制御することも可能である。このような予測制御によりコントロール応答性と信頼性を高めることができる。
【００１９】
本実施形態の画像形成装置では、現像剤容器３１Ｙに対し、像担持体への現像にともなって変化する現像剤濃度に応じ、現像剤カートリッジ７２Ｙから高濃度に分散した現像剤を、キャリアカートリッジ７１Ｙからキャリアをそれぞれ補給して概略重量比でキャリア７５％の中にトナー２５％を一様分散させている。この現像剤を用い、種々のプロセス行程を経て画像形成し終段階のシート材に二次転写して図示省略した定着行程に進行する段階において、好ましい二次転写機能及び定着機能を発揮させるためには、当該液体現像剤は概略トナー重量比で４０％〜６０％程度の分散状態になっていることが望ましい。そのため、適宜複数の位置に余剰現像剤、余剰キャリアを除去し回収する、所謂現像剤回収手段として、上記のようなクリーニングブレードを有する像担持体スクイーズ装置、像担持体クリーニング装置、中間転写体スクイーズ装置、中間転写体クリーニング装置、さらには二次転写ローラクリーニング装置等を配置している。これらクリーニングブレードが、例えば像担持体スクイーズローラ１３Ｙのクリーニングブレード１４Ｙ、像担持体１０Ｙのクリーニングブレード１７Ｙ、中間転写体スクイーズ装置５２Ｙのクリーニングブレード５５Ｙ、二次転写ローラ６１のクリーニングブレード６２、中間転写体現像剤圧縮ローラ４３のクリーニングブレード４４、中間転写体４０のクリーニングブレード４６である。
【００２０】
例えば１色目においては、現像剤回収部１５Ｙにクリーニングブレード１４Ｙで掻き落とし回収した現像剤と現像剤回収部４５にクリーニングブレード４４で掻き落とし回収した現像剤と現像剤回収部４７にクリーニングブレード４６で掻き落とし回収した現像剤を同一の流路を合流させる。そして、現像剤回収部１８Ｙにクリーニングブレード１７Ｙ及びクリーニングブレード５５Ｙで掻き落とし回収した現像剤と次の色の現像剤回収部１５Ｍにクリーニングブレード１４Ｍで掻き落とし回収した現像剤を同一の流路を合流させ、２色目以降も同様に回収した現像剤を同一の流路に合流させる。さらに、これら合流させた流路と現像剤回収部６３にクリーニングブレード６２で掻き落とし回収した現像剤の流路を現像剤回収流路７０に併合してポンプ７６からフィルタ手段７７に搬送する。
【００２１】
このように各クリーニングブレードにより掻き落とし回収された現像剤は、搬送する流路を併合した回収流路７０からフィルタ７７を通してキャリアバッファタンク７４に貯蔵し再利用を可能にしている。複数の現像ユニットから現像された現像剤を回収すると、トナーが混色状態になり、回収したままで再利用することはできないので、搬送経路にフィルタ手段７７を設けてトナー粒子をフィルタリングしてキャリアのみを再利用可能にしているのである。キャリアバッファタンク７４に貯蔵されたキャリアの再利用は、現像剤搬送路７８を通してキャリアカートリッジ７１Ｙに分配搬送することによって、現像剤容器（リザーバ）３１Ｙに現像剤カートリッジ７２Ｙからの現像剤の補給と共にキャリアカートリッジ７１Ｙからキャリアを補給することによって行われる。
【００２２】
フィルタ手段７７は、各現像剤回収手段を通して回収された現像剤の流路を併合してからフィルタリングしトナー固形成分や紙粉をキャリア成分から分離するものであり、例えば静電フィルタであっても他の構造のフィルタであってもよい。トナー等が分離され再利用可能になったキャリアはキャリアバッファタンク７４に貯蔵している。一旦バッファに貯蔵したキャリアを複数の現像ユニットのキャリアカートリッジ７１Ｙへそれぞれ分配搬送して再利用するシステムにすることによってキャリア再利用率が平均化し安定した再利用を可能にしている。そのため、現像剤を搬送するためのポンプ７６はフィルタ手段７７と共に共通に機能させ搬送経路と共にシンプルかつ安価な構成を実現することができる。また、二次転写ローラ６１及び中間転写体４０のクリーニング装置から回収する現像剤には異物や紙紛等を含んでいる場合があるので、再利用せずに廃却する方法もある。しかし、本実施形態のようにフィルタリング行程を設定して、異物や紙紛等も合せてフィルタリングすることにより、各部からの回収現像剤を再利用可能にしている。なお、フィルタ手段７７に除去された混色トナー及び異物や紙紛等は、図示省略したフィルタ状態の検知手段の検知結果に基づいて交換するシステムにすることで、フィルタリング機能を安定して維持することができる。
【００２３】
キャリア成分は、現像剤カートリッジ７２Ｙから補給するトナー重量比が高いときには相対的に不足になる場合が生じ、逆に現像剤カートリッジから補給するトナー重量比が低いときには相対的に余剰になる場合が生ずる。キャリア成分が不足になる場合、本実施形態では、現像剤カートリッジ７２Ｙと共にキャリア搬送路経路内にキャリアカートリッジ７１Ｙを着脱可能に構成することにより補給操作を簡便に行えるようにしている。また、トナー重量比が低いときだけでなく、画像デューティーが高い現像のときにも現像剤の消費と共に、現像剤カートリッジ７２Ｙからトナー重量比３５〜５５％程度の現像剤を補給しながら二次転写、定着時には４０％〜６０％程度までトナー重量比を上げるので、キャリアの回収量が多くなり、キャリア成分は、相対的に余剰になってくる。すなわち、現像剤カートリッジ７２Ｙには、トナー重量比３５〜５５％程度の高濃度に分散した現像剤が収容されているので、画像デューティーが高い現像により現像剤が消費されれば、それだけキャリア成分の回収が相対的に余剰になる。キャリア成分が余剰になる場合、本実施形態では、キャリアバッファタンク７４とは別にもうひとつのキャリア収納タンク７３を着脱可能に設けることにより満杯になったキャリア収納タンク７３をキャリアとともに除去可能な構成にしている。このようにすると、空のキャリア収納タンクと交換して満杯のキャリア収納タンクを保管することが可能になるので、無駄のない効率的なキャリアの再利用が可能になるとともにキャリアバッファタンク７４の容量を極端に大きく設定する必要がなく装置の小型化に有用である。
【００２４】
また、キャリアカートリッジ７１Ｙを省き、キャリアバッファタンク７４、キャリア収納タンク７３から直接現像剤容器３１Ｙにキャリアを適宜補給するように構成することもできる。しかし、現像剤カートリッジ７２Ｙと共にキャリア搬送路経路内にキャリアカートリッジ７１Ｙを着脱可能に構成し、さらに、キャリアカートリッジ７１Ｙをキャリア収納タンク７３と着脱互換性を有する構成にしておくと、空になったキャリアカートリッジ７１Ｙをキャリア収納タンク７３としてそのまま活用することが可能であり、利便性を高めることができる。なお、キャリアカートリッジ７１Ｙ、キャリア収納タンク７３に対してキャリアはキャリア搬送路と双方向に流出入可能であっても良いが、チェック弁機能を有して流出を阻止するように接続すると、着脱操作にも好都合である。
【００２５】
一方、現像剤の配合手段として現像ユニットとは別に設けた配合ボトルなどで配合してから現像剤容器３１Ｙに供給してもよいが、刻々と変化する現像剤容器３１Ｙ内の現像剤濃度に対してコントロールのタイムラグが生じないようにする為には、相応の配慮が必要になる。本実施形態のように、現像ユニット内にトナーの分散重量比率を検知する検知手段及び現像剤量を検知する検知手段の検知内容に基づいて高濃度に分散した現像剤及びキャリアを現像剤容器３１Ｙ内に補給し攪拌して一様分散させる構成とすることにより、濃度コントロールのタイムラグもなく安定した濃度コントロールが達成される。
【００２６】
上記のように本実施形態は、現像剤回収手段の有するクリーニング装置により現像剤を掻き落として回収し現像ユニット３０Ｙに分配搬送し再利用しているが、さらに、それぞれ現像剤回収手段について説明する。現像ユニット３０Ｙでは、現像ローラ２０Ｙに担持された液体現像剤のトナーを圧縮状態にする現像剤圧縮ローラ２２Ｙのクリーニングを行うクリーニングブレード２３Ｙ、現像ローラ２０Ｙのクリーニングを行うクリーニングブレード２１Ｙを有する。クリーニングブレード２１Ｙは、現像ローラ２０Ｙが像担持体１０Ｙと当接する現像ニップ部より現像ローラ２０Ｙの回転方向の下流側に配置されて、現像ローラ２０Ｙに残存する現像剤を掻き落とし、クリーニングブレード２３Ｙは、図中矢印方向に回転して現像剤圧縮ローラの現像剤を掻き落として除去しリザーバ３１Ｙ内の現像剤に合流（併合）させて再利用される。尚、これら合流するキャリア及びトナーは混色状態にはない。
【００２７】
像担持体スクイーズ装置は、像担持体１０Ｙに対向して現像ローラ２０Ｙの回転方向下流側、一次転写部５０Ｙの回転方向上流側に配置して像担持体１０Ｙに現像されたトナー像の余剰現像剤を回収するものであり、像担持体スクイーズローラ１３Ｙと、該像担持体スクイーズローラ１３Ｙに押圧摺接して表面をクリーニングするクリーニングブレード１４Ｙとから構成され、像担持体１０Ｙに現像された現像剤から余剰なキャリア及び本来不要なカブリトナーを回収し、顕像内のトナー粒子比率を上げる機能を有する。本実施形態では、像担持体スクイーズローラ１３Ｙを像担持体１０Ｙに対して略同一周速度でウィズ回転させ、像担持体１０Ｙに現像された現像剤から重量比５〜１０％程度の余剰キャリアを回収して双方の回転駆動負荷を軽減するとともに、像担持体１０Ｙの顕像トナー像への外乱作用を抑制している。像担持体スクイーズローラ１３Ｙによって回収された余剰なキャリア及び不要なカブリトナーはクリーニングブレード１４Ｙの作用によって像担持体スクイーズローラ１３Ｙから現像剤回収部１５Ｙに回収してプールされる。尚、この回収した余剰なキャリア及びカブリトナーは専用の孤立した像担持体１０Ｙから回収しているので全個所にわたって混色現象は発生しない。
【００２８】
一次転写部５０Ｙでは、像担持体１０Ｙと中間転写体４０が等速度で移動して像担持体１０Ｙに現像された現像剤像を一次転写ローラ５１Ｙにより中間転写体４０へ転写することにより、回転及び移動の駆動負荷を軽減するとともに、像担持体１０Ｙの顕像トナー像への外乱作用を抑制している。なお、１色目の一次転写部５０Ｙでは初回一次転写なので混色現象は発生しないが、２色目以降は既に一次転写されたトナー像部位に更に異なるトナー像を転写して色重ねするので中間転写体４０から像担持体１０（Ｍ、Ｃ、Ｋ）へトナーが移行する所謂逆転写現像によって逆転写トナーと転写残りトナーは混色して余剰キャリアとともに像担持体１０（Ｍ、Ｃ、Ｋ）に担持されて移動し、クリーニングブレード１７（Ｍ、Ｃ、Ｋ）の作用によって像担持体から回収してプールされる。
【００２９】
終段階のシート材に二次転写して図示省略した定着行程に進行する段階で、好ましい二次転写機能及び定着機能を発揮させるために、現像剤（キャリア内に分散したトナー）の望ましい分散状態は、前述したように概略トナー重量比で４０％〜６０％程度である。中間転写体スクイーズ装置５２Ｙは、この終段階に現像剤が望ましい分散状態に至っていない場合に、中間転写体４０から更に余剰キャリアを除去する手段として設けられている。中間転写体スクイーズ装置５２Ｙは、一次転写部５０Ｙより中間転写体４０の移動方向下流側に配置され、中間転写体スクイーズローラ５３Ｙ、中間転写体４０を挟んで中間転写体スクイーズローラ５３Ｙと対向配置されるバックアップローラ５４Ｙ、中間転写体スクイーズローラ５３Ｙに押圧摺接して表面をクリーニングするクリーニングブレード５５Ｙ及び現像剤回収部１８Ｙから構成され、中間転写体４０に一次転写された現像剤から余剰なキャリアを回収し、顕像内のトナー粒子比率を上げると共に、本来不要なカブリトナーを回収する機能を有する。現像剤回収部１８Ｙは、像担持体１０Ｙのクリーニングブレード１７Ｙで回収される現像剤の回収機構を中間転写体スクイーズローラ５３Ｙのクリーニングブレード５５Ｙにも兼用するものである。
【００３０】
なお、１色目の中間転写体スクイーズ部位では初回中間転写体スクイーズなので混色現象は発生しないが、２色目以降は既に一次転写されたトナー像部位に更に異なるトナー像が転写されて色重ねされているので中間転写体４０から中間転写体スクイーズローラ５３Ｙへトナーが移行した場合のトナーは混色して余剰キャリアとともに中間転写体スクイーズローラ５３Ｙに担持されて移動し、クリーニングブレードの作用によって中間転写体スクイーズローラ５３Ｙから回収してプールされる。また、上述した中間転写体スクイーズ行程上流側の一次転写部位の像担持体１０Ｙによるスクイーズ能力及び像担持体スクイーズローラ５３Ｙのスクイーズ能力が充分な能力をもって行われる場合には、必ずしも全ての一次転写行程より中間転写体４０の移動方向下流側に中間転写体スクイーズ装置５２を設ける必要はない。
【００３１】
中間転写体４０上に色重ねしたトナー像が二次転写部位に到達するタイミングに合わせてシート材を供給し、シート材にトナー画像を二次転写して定着行程へと進め最終的なシート材上の画像形成を終了するが、ジャムなどのシート材供給トラブルが発生した場合には、全てのトナー画像が二次転写ロールに転写されて回収されるものではなく、一部は中間転写体上に残り、また、通常の二次転写行程においても中間転写体４０上のトナー像は１００％二次転写されてシート材に移行するものではなく、数パーセントの二次転写残りが発生する。特に、ジャムなどのシート材供給トラブルが発生した場合には、シート材が介在しない状態でトナー画像が二次転写ローラ６１に接して転写されシート材裏面汚れを引き起こす。これら不要トナー像に対し、現像剤圧縮ローラ４３に、液体現像剤のトナー粒子を中間転写体４０側に押しつける方向のバイアス、つまり、トナー粒子の帯電極性と同極性のバイアスを印加する。このバイアスは、二次転写ローラ６１や中間転写体スクイーズローラ５３Ｙ（いずれか）に印加してもよい。このことにより、中間転写体４０に残った液体現像剤のトナー粒子を中間転写体４０側に押しつけて現像剤圧縮状態にすると共に、二次転写ローラ６１側にキャリア液を回収（スクイーズ）し、中間転写体のクリーニングブレード４６による中間転写体４０上のクリーニング、二次転写ローラのクリーニングブレード６２による二次転写ローラ６１のクリーニングを行う。このように二次転写ローラのクリーニングブレード６２は、二次転写ローラ６１に転写された現像剤（キャリア内に分散したトナー）を除去する手段として備え、二次転写ローラ６１から現像剤を回収してプールされる。このプールした現像剤は混色状態のものであり、紙粉等の異物も含んでいる場合があるが、これらは、前述したようにフィルタ７７によって分離される。
【００３２】
図３は本発明に係る画像形成装置の他の実施形態を説明する図、図４は本発明に係る画像形成装置のさらに他の実施形態を説明する図である。図３に示す実施形態は、クリーニングブレード１７Ｙ及びクリーニングブレード５５Ｙで掻き落とし現像剤回収部１８Ｙに回収した現像剤をその現像ユニット２０Ｙのキャリアカートリッジ７１Ｙに回収し、同様に各色毎に対応してキャリアカートリッジ７１（Ｍ、Ｃ、Ｋ）に回収して再利用すると共に、他の現像剤回収部（１５Ｙ、１５Ｍ、１５Ｃ、１５Ｋ、４７、６３）に回収した現像剤は、同一の回収流路７０に合流させて、ポンプ７６、フィルタ７７を通してキャリアバッファタンク７４に搬送するものである。このことにより、シンプルな回収流路を形成することができる。なお、この実施形態の場合には、流路が短縮されるので、自重落下可能な配置にすると、ポンプＰはなくてもよい。また、この実施形態では、中間転写体４０の移動方向の下流に向かう、２色目、３色目となるに従い多少の混色が発生するが、ある程度の画質ダメージを許容する用途では有用である。他に、現像剤供給ローラ３２Ｙの回転方向を逆方向に設定し、それに伴い規制ブレード３３Ｙを図示左側から反対の右側に変えて配置している。このような構成により、画像形成部、現像ユニット及び中間転写体スクイーズ装置を次の色の部材の配置に制約されることなく、各色単位で配置する自由度を確保することができる。また、中間転写体クリーニング装置では、図１に示した現像剤圧縮ローラ４３、クリーニングブレード４４、現像剤回収部４５を省くこともでき、その構成を示している。
【００３３】
図４に示す実施形態は、モノクロモードなどに対応して最も使用頻度の高い黒の現像剤を用いる４色目の回収現像剤のみを他の色の回収現像剤とは別の独立した回収流路７０Ｋでポンプ７６Ｋ、フィルタ７７Ｋを通してキャリアバッファタンク７４に回収するように構成したものである。図４においては、４色目の像担持体のクリーニングブレード１７Ｋと中間転写体スクイーズローラのクリーニングブレード５５Ｋの現像剤をそれぞれ別の現像剤回収部１８Ｋ、５６Ｋに回収し、現像剤回収部１５Ｋと１８Ｋに黒の像担持体から回収した現像剤を回収流路７０Ｋに合流させているが、クリーニングブレード１７Ｋとクリーニングブレード５５Ｋの現像剤を他の色の場合と同様に現像剤回収部１８Ｋに回収するように構成してもよい。他に、図２に示す帯電ローラ１１Ｙ、現像剤圧縮ローラ２２Ｙとして、ローラに代えてコロナ放電器１１Ｙ′、２２Ｙ′を用い、コロナ放電器によりコロナ放電させて像担持体１０Ｙを一様に帯電させ、現像剤のトナー粒子を現像ローラ２０Ｙ側に押しつけ現像剤圧縮状態にするように構成している。
【００３４】
なお、本発明は、上記実施の形態に限定されるものではなく、種々の変形が可能である。例えば上記実施の形態では、中間転写体としてエンドレスの弾性ベルト部材を用い、その中間転写体上に各現像色に対応する複数の画像形成部を並列配置したタンデム型のカラー画像形成装置により説明したが、円筒状の回転支持体に各現像色に対応する複数の画像形成部を支持し、回転支持体の回転によりそれぞれの画像形成部を中間転写体の転写位置に順次移動させて各色のトナー画像を順次重ねて転写するロータリー型のカラー画像形成装置に適用し、さらに中間転写ドラムを用いてもよい。この場合、中間転写体上に設けられる中間転写体クリーニングブレードは、画像形成部から中間転写体へトナー画像を転写する一次転写プロセス中、さらに中間転写体から記録媒体に転写するフルカラーのトナー画像や単色のトナー画像が通過するまでの間、中間転写体から離間させ、その後、所謂印字動作終了後、中間転写体にエッジ当接させ押圧摺接させる。
【図面の簡単な説明】
【００３５】
【図１】本発明の実施の形態に係る画像形成装置を構成する主要構成要素を示す図である。
【図２】画像形成部、現像ユニット及び中間転写体スクイーズ装置の主要構成要素を示す断面図である。
【図３】本発明に係る画像形成装置の他の実施の形態を説明する図である。
【図４】本発明に係る画像形成装置のさらに他の実施の形態を説明する図である。
【符号の説明】
【００３６】
１０…像担持体、１１…帯電ローラ、１２…露光ユニット、１３…像担持体スクイーズローラ、１４、１７、２１、２３、４４、４６、５５、６２…クリーニングブレード、１５、１８、４５、４７、６３…現像剤回収部、１６…潜像イレーサ、２０…現像ローラ、２２…現像剤圧縮ローラ、３０…現像ユニット、３１…現像剤容器、３２…現像剤供給ローラ、３３…規制ブレード、２１、３４…撹拌ローラ、４０…中間転写体、４１、４２…ベルト駆動ローラ、４３…現像剤圧縮ローラ、５０…一次転写部、５１…一次転写バックアップローラ、５２…中間転写体スクイーズ装置、５３…中間転写体スクイーズローラ、５４…バックアップローラ、６０…二次転写ユニット、６１…二次転写ローラ、７０…現像剤回収流路、７１…キャリアカートリッジ、７２…現像剤カートリッジ、７３…キャリア収納タンク、７４…キャリアバッファタンク、７５、７６…ポンプ、７７…フィルタ、７８…現像剤搬送路
【図１】
2007171438.tif 000003
【図２】
2007171438.tif 000004
【図３】
2007171438.tif 000005
【図４】
2007171438.tif 000006